(57)【要約】      （修正有）【課題】２つのデバイス間でサンプルを移送する為の搬送装置に於いて、サンプルの安全で信頼できる保護された搬送を可能にする技術を提供する。【解決手段】サンプルを保持するためのキャリアを備えた搬送管１１を含み、キャリアは、その長さに沿って搬送管１１内で移動可能である。搬送装置１は、搬送管１１に実質的に隣接して延在し、管内で移動可能なアクチュエータ要素を備えるアクチュエータ管１２をさらに含む。アクチュエータ要素は第１の磁石部分を含み、サンプルキャリアは第２の磁石部分を備え、第１の磁石部分および第２の磁石部分は、搬送管１１を通るサンプルキャリアの移動がアクチュエータ管１２を通る磁気アクチュエータ要素の移動とリンクするように設けられる。【選択図】図１
2020136263.tif 000002
【特許請求の範囲】
【請求項１】
２つのデバイス間でサンプルを移送するための搬送装置であって、
−サンプルを保持するためのキャリアを備えた搬送管であって、前記キャリアが、前記搬送管内でその長さに沿って移動可能である、搬送管と、
−前記搬送管に実質的に隣接して延在するアクチュエータ管であって、前記アクチュエータ管が、前記アクチュエータ管内で移動可能なアクチュエータ要素を備える、アクチュエータ管と、を含み、
−前記アクチュエータ要素が第１の磁石部分を含み、前記キャリアが第２の磁石部分を備え、前記第１の磁石部分および前記第２の磁石部分は、前記搬送管を通る前記キャリアの移動が前記アクチュエータ管を通る前記アクチュエータ要素の移動とリンクされるように設けられる、搬送装置。
【請求項２】
前記アクチュエータ管が空気圧アクチュエータ管である、請求項１に記載の搬送装置。
【請求項３】
前記搬送管が減圧搬送管、特に真空搬送管である、請求項１または２に記載の搬送装置。
【請求項４】
前記キャリアが、搬送される前記サンプルを受け入れるための受け入れスペースを備える実質的に円筒形のキャリア本体を含む、請求項１〜３のいずれか一項に記載の搬送装置。
【請求項５】
前記第２の磁石部分が、
−実質的に円筒形のキャリア本体の前端面に設けられた前部磁石アセンブリ、および／または
−実質的に円筒形のキャリア本体の後端面に設けられた後部磁石アセンブリを、含む、請求項４に記載の搬送装置。
【請求項６】
前記前部磁石アセンブリがおよび／または後部磁石アセンブリが、第１の磁気要素、および前記第１の磁気要素と前記キャリア本体との間に設けられた第２の磁気要素を含み、前記第１の磁気要素および前記第２の磁気要素の反対の極は互いに向かい合っている、請求項５に記載の搬送装置。
【請求項７】
サンプル操作のためのシステムであって、
−サンプルを操作するために配置された第１のデバイスと、
−サンプルを操作するために配置された第２のデバイスと、
−前記第１のデバイスおよび前記第２のデバイスに接続された、請求項１〜６のいずれか一項に記載の搬送装置と、を含む、システム。
【請求項８】
前記第１のデバイスがサンプル調製デバイスであり、前記第２のデバイスがサンプル調査デバイスである、請求項７に記載のシステム。
【請求項９】
前記第１のデバイスおよび／または前記第２のデバイスが荷電粒子顕微鏡を含む、請求項７または８に記載のシステム。
【請求項１０】
前記第１のデバイスが集束イオンビームデバイスであり、かつ／または前記第２のデバイスが電子顕微鏡である、請求項９に記載のシステム。
【請求項１１】
請求項７〜１０のいずれか一項に記載のシステムでサンプルを移送する方法であって、
−請求項７〜１０のいずれか一項に記載のシステムを提供するステップと、
−前記第１のデバイス内にサンプルを提供するステップと、
−前記サンプルをキャリア本体に移送するステップと、
−前記アクチュエータ要素と磁気的にリンクされた前記キャリア本体を移動させるために前記アクチュエータ管内の前記アクチュエータ要素を移動させ、それにより、前記サンプルを前記第１のデバイスから前記第２のデバイスに移動させるステップと、
−前記サンプルを前記キャリア本体から前記第２のデバイスに移送するステップと、を含む、方法。
【発明の詳細な説明】
【技術分野】
【０００１】
詳細な説明
本発明は、２つのデバイス間でサンプルを移送するための搬送装置に関する。
【０００２】
本発明はさらに、そのような搬送デバイスを含むサンプル操作のためのシステムに関する。
【０００３】
本発明はまた、そのようなシステムでサンプルを移送する方法に関する。
【背景技術】
【０００４】
２つのデバイス間でサンプルを移送することは一般的なタスクである。多くの場合、サンプルはサンプル調製デバイスを使用して調製され、調製デバイスから離れた場所にある分析デバイスで調査される。移送は手動で行われ得る。ユーザーは、調製デバイスでサンプルを収集し、分析デバイスに持ち込み、そこで当該分析デバイスに挿入する。２つのデバイス間の移送中にサンプルが危険にさらされる可能性があり、これは望ましくない。
【０００５】
高品質の分析を得るためには、サンプルを可能な限り調製された状態で保存し、損傷および／または変質を可能な限り防止することが重要である。
【０００６】
このことは、所望の品質を得るためにサンプルの状態が重要である、荷電粒子顕微鏡（ＣＰＭ）において間違いなく重要である。電子顕微鏡のような、荷電粒子顕微鏡は、周知であり、微視的対象物を撮像するために、ますます重要になっている技術である。これまで、基本的な種類の電子顕微鏡は、透過電子顕微鏡（ＴＥＭ）、走査電子顕微鏡（ＳＥＭ）、および走査透過電子顕微鏡（ＳＴＥＭ）のような、いくつかの周知の装置類に進化してきており、さらには、例えばイオンビームミリングまたはイオンビーム誘導蒸着（ＩＢＩＤ）のような支援作用を可能にする「機械加工」集束イオンビーム（ＦＩＢ）をさらに採用した、いわゆる「デュアルビーム」装置（例えば、ＦＩＢ−ＳＥＭ）のような様々な補助装置類に進化してきている。
【０００７】
（Ｓ）ＴＥＭで観察される試料は、一般に、電子が十分に透過できるように、非常に薄くなければならない（例えば、数百ｎｍ以下程度の厚さ）。このタイプの薄い（フレーク状の）試料は、従来、ラメラと呼ばれ、一般にＦＩＢ−ＳＥＭなどのデュアルビーム装置でより大きな（「バルク」）サンプルから切り取られる。調製後、ラメラをＦＩＢリフトアウトグリッドなどのラメラサポートに固定し、（Ｓ）ＴＥＭ（または他のタイプのＣＰＭ）で使用するために必要な向きに慎重に配置する。このサンプル（ラメラサポート付きラメラ）の移送は、サンプルが破損しないことを確実にするために慎重に行う必要がある。
【０００８】
Ｃｒｙｏ−ＥＭを使用した生体サンプルの調製および調査は、サンプルの移送をさらに複雑にする。Ｃｒｙｏ−ＥＭにおいて、サンプルは、ガラス化技術を使用した急速凍結により保存され、ｃｒｙｏ−ＴＥＭで観察される。さらに、サンプルを凍結切片化するために、凍結ＦＩＢ技術を使用してもよい。したがって、生物学的サンプルの調査は、あるデバイスから別のデバイスへの低温サンプルの移送を含んでもよい。
【発明の概要】
【０００９】
上記から、２つのデバイス間でサンプルを安全かつ信頼できる方法で移送するための搬送装置の必要性が存在することになる。
【００１０】
この目的のために、本発明は、２つのデバイス間でサンプルを移送するための搬送装置を提供する。当該搬送装置は、サンプルを保持するためのキャリアを備えた搬送管を含み、当該キャリアは、当該搬送管内でその長さに沿って移動可能である。搬送装置は、当該搬送管に実質的に隣接して延在するアクチュエータ管をさらに含み、当該アクチュエータ管は、当該アクチュエータ管内で移動可能なアクチュエータ要素を備える。当該アクチュエータ要素は、第１の磁石部分を含む。当該サンプルキャリアは、第２の磁石部分を備え、当該第１の磁石部分および当該第２の磁石部分は、当該搬送管を通るサンプルキャリアの移動がアクチュエータ管を通る磁気アクチュエータ要素の移動とリンクされるように設けられる。このようにして、磁気アクチュエータ要素を移動させることができ、サンプルキャリアは、第２の磁石部分が第１の磁石部分とリンクされているため、磁気アクチュエータ要素の移動に従う。したがって、サンプルの移送は信頼できる。移動中、サンプルキャリアは周囲の環境に対して搬送管によって遮断される。したがって、サンプルの損傷が防止される。これにより、２つのデバイス間での改善されたサンプルの移送が得られる。
【００１１】
本発明の実施形態およびさらなる利点を以下に説明する。
【００１２】
一実施形態では、当該アクチュエータ管は空気圧アクチュエータ管である。空気圧アクチュエータ管を使用すると、搬送装置の信頼性が高まり、制御が容易になり、比較的安価になる。当該空気圧アクチュエータ管は、正圧を使用してアクチュエータ要素をアクチュエータ管の所望の端部に向かって押す圧力管であってもよい。あるいは、当該空気圧アクチュエータ管は、例えば、管内に生成された真空を使用してアクチュエータ要素をアクチュエータ管の所望の端部に引き寄せ、それによりサンプルキャリアを搬送の所望の端部に移動させる吸引管であってもよく、−したがって、所望のデバイスである。当該空気圧アクチュエータ管は、上述の吸引管と圧力管とを単一のアクチュエータ管に組み合わせる組み合わせ管であってもよい。このようにして、空気圧アクチュエータ管内のアクチュエータ要素の引き抜きと押し込みの組み合わせが可能になり、アクチュエータ要素の制御の改善とより信頼性の高い搬送装置につながる。
【００１３】
当該アクチュエータ管内に所望の流速および／またはプロファイルを提供することにより、アクチュエータ要素が制御されると考えられる。例えば、アクチュエータ要素は、アクチュエータ管の内径よりわずかに小さくてもよく、当該アクチュエータ管内に流れを提供することにより移送されてもよい。
【００１４】
一実施形態では、当該搬送管は、減圧搬送管、特に真空搬送管である。したがって、サンプルを保持するためのキャリアは、真空搬送管に設けられる。これにより、ｃｒｙｏ−ＥＭサンプルなどのガラス化サンプルをデバイス間で安全に搬送できる。
【００１５】
一実施形態では、当該キャリアは、搬送される当該サンプルを受け入れるための受け入れスペースを備える実質的に円筒形のキャリア本体を含む。円筒形のキャリア本体により、搬送管をスムーズに搬送できる。キャリア本体の受け入れスペースは、搬送中のサンプルの追加保護を可能にし、例えばキャリア本体への／からのサンプルの搭載／取り出し中のサンプルの改善された取り扱いを可能にする。
【００１６】
当該第２の磁石部分は、当該キャリア本体に設けられてもよい。特に、当該第２の磁石部分は、キャリア本体の前部分および／または後部分に設けられてもよい。ここで、「前部」および「後部」という用語は、移動方向を指すために使用され得、前部は進行方向に面し、後部は進行方向から離れて面することに留意されたい。「前部」および「後部」という用語は、ここでは主にキャリア本体の２つの外端を容易に区別するために使用されるため、限定的に解釈されるべきではない。
【００１７】
一実施形態では、当該第２の磁石部分は、実質的に円筒形のキャリア本体の前端面に設けられた前部磁石アセンブリを含む。
【００１８】
一実施形態では、当該第２の磁石部分は、実質的に円筒形のキャリア本体の後端面に設けられた後部磁石アセンブリを含む。
【００１９】
当該前部磁石アセンブリおよび当該後部磁石アセンブリは、同極がサンプルに向けられるように設けられてもよい。前部磁石アセンブリはＮ極およびＳ極を有し、当該後部磁石アセンブリも同様にＮ極とおよび極を有する。この実施形態では、前部磁石アセンブリのＮ極はキャリア本体に面しており、後部磁石アセンブリのＮ極も同様にキャリア本体に面している。あるいは、前部磁石アセンブリのＳ極および後部磁石アセンブリのＳ極は、キャリア本体に面していてもよい。上記の機能を使用して、サンプル領域の磁場を低減できる。
【００２０】
一実施形態では、当該前部および／または後部磁石アセンブリはそれぞれ、第１の磁気要素および第２の磁気要素を含む。第２の磁気要素は、当該第１の磁気要素と当該キャリア本体との間に設けられる。当該第１の磁気要素および当該第２の磁気要素の反対の極は、互いに向かいあっている。言い換えると、第１の磁気要素および第２の磁気要素は、第１の磁気要素が第２の磁気要素を引き付けるように設けられている。上記の機能を使用して、サンプル領域の磁場を低減できる。
【００２１】
一態様によれば、サンプル操作のためのシステムであって、
−サンプルを操作するために配置された第１のデバイスと、
−サンプルを操作するために配置された第２のデバイスと、
−上述の、当該第１のデバイスおよび当該第２のデバイスに接続された搬送装置と、を含むシステムが提供される。
【００２２】
当該第１のデバイスはサンプル調製デバイスであってもよく、当該第２のデバイスはサンプル調査デバイスまたは分析デバイスであってもよい。
【００２３】
当該第１のデバイスおよび／または当該第２のデバイスは、本文書の導入部に記載されたように、荷電粒子顕微鏡を含んでいてもよい。例えば、第１のデバイスは集束イオンビームデバイスであり得、および／または第２のデバイスは電子顕微鏡であり得る。
【００２４】
本明細書に記載のサンプル操作システムを使用すると、異なるデバイス間で安全で信頼性の高いサンプル移送が可能である。搬送管を介したサンプルの搬送により、サンプルに対する一定量の保護が確保される。さらに、ユーザーは搬送中にサンプルに接触する必要はない。サンプルのサンプルキャリアへの搭載および取り出しを、安全で信頼できる方法で実行できる。一実施形態では、第１のデバイスおよび／または第２のデバイスは、サンプルを搬送装置、例えばキャリア本体の受け入れスペースに容易に配置できるように、搭載デバイスおよび／または取り出しデバイスを備えてもよい。
【００２５】
一態様によれば、上述のシステムなどのシステム内でサンプルを移送する方法が提供される。この態様による方法は、
−上述のサンプル操作のためのシステムを提供するステップと、
−第１のデバイスにサンプルを提供するステップと、
−当該サンプルをキャリア本体に移送するステップと、
−当該アクチュエータ要素と磁気的にリンクされたキャリア本体を移動させるためにアクチュエータ管内のアクチュエータ要素を移動させ、それにより、当該サンプルを当該第１のデバイスから当該第２のデバイスに移動させるステップと、
−サンプルをキャリア本体から第２のデバイスに移送させるステップと、を含む。
【００２６】
したがって、この方法では、磁気アクチュエータ要素を移動させることができ、サンプルキャリアは、第２の磁石部分が第１の磁石部分とリンクされているため、磁気アクチュエータ要素の移動に従う。前に説明したように、これによりサンプルの移送の信頼性が向上するが、サンプルキャリアは搬送中に搬送管によって遮断されるため、サンプルの安全性も向上する。したがって、サンプルの損傷が防止される。これにより、２つのデバイス間でサンプルを移送する改良された方法が得られる。
【００２７】
次に、本発明の実施形態を示す添付図面を参照して本発明を説明する。
【図面の簡単な説明】
【００２８】
【図１】本明細書に開示される移送装置を含む、サンプル操作のためのシステムの概略図。
【図２】一実施形態による、本明細書に開示される移送装置の一部の概略図。
【図３】本明細書に開示される移送装置のさらなる実施形態の概略図。
【図４】図３に示す移送装置で使用されるサンプルキャリアの一部の断面図。
【図５】移送装置をサンプル操作デバイスに接続するための接続部の斜視図。
【図６】図５の接続部の断面図。
【発明を実施するための形態】
【００２９】
図１は、サンプル操作のためのシステム１００の概略図を示している。システム１００は、サンプルを操作するために配置された第１のデバイス１０１と、当該サンプルを操作するために配置された第２のデバイス２０１とを含む。第１のデバイス１０１は、例えば、サンプル調製室１０２を有するサンプル調製デバイスであってもよい。第２のデバイス２０１は、サンプル分析室２０２を有するサンプル分析デバイスであってもよい。第１のデバイスは、荷電粒子顕微鏡、特にサンプルを調製するための集束イオンビームデバイスであり得る。そのようなデバイスはそれ自体当業者に知られている。第２のデバイスは、荷電粒子顕微鏡、特に（Ｓ）ＴＥＭなどの電子顕微鏡であってもよい。当該第２のデバイス２０１は、当該第１のデバイス１０１から距離を置いて配置されている。第１のデバイス１０１および第２のデバイス２０１は、本明細書で記載する搬送装置１によって互いに接続される。
【００３０】
図１に示される搬送装置１は、当該第１のデバイス１０１および当該第２のデバイス２０１に接続された搬送管１１を含む。搬送装置１はまた、当該第１のデバイス１０１および当該第２のデバイス２０１に接続されたアクチュエータ管１２を含む。デバイス１０１、２０１への接続は、接続部１１１、２１１により確立される。これらの接続部１１１、２１１は、それぞれサンプル操作室１０２、２０２に接続されており、移送装置１を介して、第１のデバイス１０１のサンプル操作室１０２からサンプルを（ライン１１２、２１２を介して）第２のデバイス２０１のサンプル操作室２０２に移送することができる。接続部１１１、２１１の詳細は、図５および図６に関して後述する。
【００３１】
一般的に、そして例として、図１に示されるシステムは、サンプルを調製室１０２のＴＥＭサンプルホルダーに取り付け、集束イオンビーム（ＦＩＢ）デバイス１０１を使用して薄くすることを可能にする。次いで、サンプルを、搬送装置１を使用してＴＥＭまたはＳＴＥＭデバイス２０１に搬送し、そこで当該デバイス２０１の一部である電子ビームでそれを画像化できる。ＦＩＢを使用するサンプルを調製し、（Ｓ）ＴＥＭを使用してサンプルを画像化するこのプロセスは、当業者に知られており、簡潔さの理由でこれ以上説明しない。ただし、ここで開示する搬送装置は、ＦＩＢおよび（Ｓ）ＴＥＭデバイス間の搬送中にサンプルが周囲環境から保護されるため、調製と画像化プロセスを改善し、次に説明するように、サンプル条件をより簡単に維持できる。
【００３２】
ここで図２を参照すると、搬送装置１の詳細が概略的に示されている。ここで、搬送管１１には、サンプル４を保持するためのキャリア本体１４を有するキャリア２が設けられていることが分かる。キャリア２は、その長さＬに沿って当該搬送管１１内で移動可能である。アクチュエータ管１２は、当該搬送管１１に実質的に隣接して延在する。アクチュエータ要素３は、当該アクチュエータ管１２内に設けられ、当該アクチュエータ管１２内で移動可能である。図示の実施形態では、アクチュエータ要素３は第１の磁石部１５を含み、当該サンプルキャリアは第２の磁石部１６を備えている。磁石部分１５、１６は、当該搬送管１１を通るサンプルキャリア２の移動が、アクチュエータ管１２を通る磁気アクチュエータ要素３の移動とリンクされるように設けられている。磁石部分１５、１６の極Ｎ、Ｓは、アクチュエータ要素３とキャリア要素２との間に磁気結合が生じるように配置される。言い換えると、アクチュエータ要素３がアクチュエータ管１２を通って移動すると、サンプルキャリア２も搬送管１１に磁気的に押し進められ、制御可能で、安全で信頼できる方法で、第１のデバイス１０１から第２のデバイス１０２へのサンプル４の移送が可能になる。
【００３３】
図１および図２では、搬送管１１およびアクチュエータ管１２は剛体管として示されているが、可撓管の使用も可能であり、いくつかのデバイス間の容易な接続を提供する。
【００３４】
一実施形態では、アクチュエータ管１２は空気圧アクチュエータ管であってもよいことが留意される。管１２は、圧力の相対的な差を利用して、アクチュエータ要素を移動させることができる。これは、真空および／または正圧を使用して、アクチュエータ管１２を通してアクチュエータ要素３を、および／またはこれにより搬送管１１を通してサンプルキャリア２を引くおよび／または押すことを含み得る。
【００３５】
ここで図３を参照すると、搬送装置１（の一部）のさらなる実施形態が示されている。ここで、サンプルキャリア２は、搬送される当該サンプル４を受け入れるための受け入れスペース４０を備えた実質的に円筒形のキャリア本体１４を含むことが分かる。サンプルキャリアに設けられた磁石部分１６、１７（第２の磁石部分１６と呼ばれる）は、実質的に円筒形のキャリア本体の前端面に設けられた前部磁石アセンブリ１６と、実質的に円筒形のキャリア本体１４の後端面に設けられた後部磁石アセンブリ１７を含む。当該前部および後部磁石アセンブリ１６、１７はそれぞれ第１の磁気要素１６ａ、１７ａおよび第２の磁気要素１６ｂ、１７ｂを含む。第２の磁気要素は、当該第１の磁気要素と当該キャリアとの間に設けられる。当該第１の磁気要素および当該第２の磁気要素の反対の極は、互いに向けられている。図３に模式的に示されているように、各磁気要素は、Ｎ極（円周方向のマークで示されている）およびＳ極を有する。前部磁石アセンブリ１６の第１の磁気要素１６ａはＮ極が外向きに面しており、第２の磁気要素１６ｂのＮ極は第１の磁気要素１６ａのＳ極に向けられている。後部磁石アセンブリ１７も同様の構造を有し、同じくＮ極が外向きに面している。したがって、事実上、前部磁石アセンブリ１６および後部磁石アセンブリ１７の磁極は反対方向に向けられ、これはサンプル４上の磁場を減少させる。アクチュエータ要素３は、この実施形態では合計２つの磁石要素１５ａ〜１５ｂを含むが、原則として、アクチュエータは、例えば１つ、３つ、４つ、またはそれ以上など、他の任意の数の磁石要素でも機能することができる。
【００３６】
図３および図４に見られるように、受け入れスペース４０は溝４１を含む。これにより、サンプル４（図４に模式的に示すようにサンプルホルダー４２に提供される）を簡単かつ再現可能に、（第１の）デバイス１０１からキャリア要素２に搭載し、キャリア要素２から（第２の）デバイス２０１に取り出すことが可能にする。サンプル４（すなわちサンプルホルダー４２）を溝にロックするため、ネジなどの固定要素３２でキャリア本体に取り付けられたバネ要素３１が設けられ、これは搬送管を介した搬送中にサンプル４（すなわちサンプルホルダー４２）を固定する。図４に示されているサンプルキャリアは、ＦＩＢによって作成されたラメラを保持するようになっている、いわゆるＥＭグリッドである。もちろん、半月形格子など、ラメラまたは他の種類のサンプル４を保持するための他の格子を使用することも考えられる。ラメラとは別に、搬送装置は他のタイプのサンプルを移送するのにも適している。
【００３７】
図５および図６は、接続部１１１を斜視図および断面図でそれぞれ示している。接続部１１１は、搬送装置１の終止点ステーションとして機能し、それぞれのデバイス１０１、１０２内のサンプル４の搭載／取り出しが行われるのを可能にする。接続部１１１は、搬送管（１１、図示せず）およびアクチュエータ管（１２、図示せず）が接続可能な搬送接続部１３１とアクチュエータ接続部１３２とを含む。これらの搬送接続部１３１およびアクチュエータ接続部１３２は、それぞれ搬送孔１４１およびアクチュエータ孔１４２内に延在する。サンプルキャリア２およびアクチュエータ３は、それぞれ穴１４１、１４２内に移動することができ、そこでそれぞれのストップ１５１、１５２に接触する。ストップ１５１、１５２は、サンプルキャリア２およびアクチュエータ３の端部位置を正確に決定するために調整可能であってもよい。特に、サンプルがそれぞれのデバイス１０１、２０１から搭載／取り出しされ得るように、サンプルキャリア２の位置は、サンプルが接続部１１１に設けられた凹部１１５と一直線になるような位置である。このようにして、接続部１１１、１１２は、搬送装置１と各デバイス１０１、１０２との間のインターフェースを提供する。接続部１１１、１１２は、アクチュエータ要素３およびキャリア要素２（サンプル４を有する、図示せず）の端部位置での正確な位置決めを提供するので、搭載／取り出しが行われ、さらなるまたは後続の搬送ステップが行われ得る。ガイド（図示せず）を設けて、キャリア要素２（サンプル４を有する）の回転位置を所望の位置にガイドし、キャリア要素２へのサンプルの取り出しおよび／または配置が可能になるようにしてもよい。
【００３８】
示された実施形態では、接続部は、アクチュエータ要素３の空気圧動作を可能にするために、アクチュエータ接続部と流体接触するさらなる接続部１３３を有する。
【００３９】
搬送孔１４１および搬送接続部１３１を有する接続部１１１により、搬送管を閉鎖システムにすることができる。したがって、搬送管１１は、減圧搬送管１１、特に真空搬送管であり得る。これにより、例えば、低温サンプル４を、特に荷電粒子顕微鏡の第１および第２のデバイス間で安全かつ信頼できる方法で移送することができる。
【００４０】
上記では、本発明をいくつかの実施例によって説明してきた。所望の保護は、添付の特許請求の範囲によって決定される。
【図１】
2020136263.tif 000003
【図２】
2020136263.tif 000004
【図３】
2020136263.tif 000005
【図４】
2020136263.tif 000006
【図５】
2020136263.tif 000007
【図６】
2020136263.tif 000008
【外国語明細書】
2020136263000001.pdf